(57)【要約】【課題】指示薬を含む検査部材を備える吸収性物品であって、着用者の肌触りの悪化を抑制し易く、かつ指示薬による肌へのダメージを抑制し易い吸収性物品を提供する。【解決手段】  吸収性物品１は、着用者の健康状態を検査するための検査部材２０と、液透過性のトップシートを少なくとも含み、かつ検査部材２０よりも肌面側Ｔ１に配置されている表面側部材４０と、液不透過性のバックシートを少なくとも含み、かつ検査部材２０よりも肌面側Ｔ１に配置されている裏面側部材６０と、を備える。検査部材２０は、表面側部材４０を通過した排泄物を接触させる接触部２２と、排泄物に含まれる対象成分に応じて着用者の健康状態を指示薬により表示する表示部２４と、を有する。表面側部材４０は、表示部２４の少なくとも一部を覆っている。表面側部材４０は、表示部２４が視認可能になるように裏面側部材６０から剥離可能である。【選択図】図３
2020000751.tif 000002
【特許請求の範囲】
【請求項１】
吸収性物品であって、
着用者の健康状態を検査するための検査部材と、
液透過性のトップシートを少なくとも含み、かつ前記検査部材よりも肌面側に配置されている表面側部材と、
液不透過性のバックシートを少なくとも含み、かつ前記検査部材よりも肌面側に配置されている裏面側部材と、を備え、
前記検査部材は、
前記表面側部材を通過した排泄物を接触させる接触部と、
前記排泄物に含まれる対象成分に応じて前記着用者の健康状態を指示薬により表示する表示部と、を有し、
前記表面側部材は、前記表示部の少なくとも一部を覆っており、
前記表面側部材は、前記表示部が視認可能になるように前記裏面側部材から剥離可能である、吸収性物品。
【請求項２】
前記表面側部材には、厚さ方向において前記接触部と重なる開孔が形成されている請求項１に記載の吸収性物品。
【請求項３】
前記表面側部材は、前記トップシートを含む複数のシートにより構成され、
前記開孔は、前記複数のシートのうち一部のシートにのみ形成されている請求項２に記載の吸収性物品。
【請求項４】
前記接触部と前記表示部とは、異なる位置に配置されており、
前記表示部は、前記厚さ方向において前記開孔と重ならない請求項２又は３に記載の吸収性物品。
【請求項５】
前記表面側部材は、前記トップシートよりも非肌面側に配置される液不透過性シートを含み、
前記開孔は、少なくとも前記液不透過性シートに形成されている請求項２から４のいずれか１項に記載の吸収性物品。
【請求項６】
前記開孔は、前記表面側部材を貫通する貫通孔である請求項２に記載の吸収性物品。
【請求項７】
前記裏面側部材は、前記表面側部材に含まれる液透過性シートよりも親水性又は繊維密度が高い親水性シートを含み、
前記検査部材は、前記親水性シート上に配置されている請求項１から６に記載の吸収性物品。
【発明の詳細な説明】
【技術分野】
【０００１】
本発明は、吸収性物品に関する。
【背景技術】
【０００２】
特許文献１の図１には、着用者の健康状態を検査するための検査部材を有する吸収性物品が開示されている。検査部材は、吸収性物品の肌面側に配置されているセンサを有する。センサが排泄物に含まれる対象成分を検出することで、着用者の健康状態を確認することができる。
【先行技術文献】
【特許文献】
【０００３】
【特許文献１】特表２００３−５１７５８４号公報
【発明の概要】
【０００４】
特許文献１に開示された吸収性物品では、センサが肌面側で露出している。このため、吸収性物品の着用時に、センサが着用者の肌に直接触れてしまうため、吸収性物品に対する着用者の肌触りが悪化するおそれがある。また、センサは、対象成分を検出するための指示薬を含んでいる。従って、吸収性物品の着用時に、センサに含まれる指示薬が着用者の肌に触れるため、指示薬により着用者の肌がダメージを受ける虞がある。
【０００５】
そこで、指示薬を含む検査部材を備える吸収性物品であって、着用者の肌触りの悪化を抑制し易く、かつ指示薬による肌へのダメージを抑制し易い吸収性物品が望まれる。
【課題を解決するための手段】
【０００６】
本開示に係る吸収性物品は、着用者の健康状態を検査するための検査部材と、液透過性のトップシートを少なくとも含み、かつ前記検査部材よりも肌面側に配置されている表面側部材と、液不透過性のバックシートを少なくとも含み、かつ前記検査部材よりも肌面側に配置されている裏面側部材と、を備える。前記検査部材は、前記表面側部材を通過した排泄物を接触させる接触部と、前記排泄物に含まれる対象成分に応じて前記着用者の健康状態を指示薬により表示する表示部と、を有する。前記表面側部材は、前記表示部の少なくとも一部を覆っている。前記表面側部材は、前記表示部が視認可能になるように前記裏面側部材から剥離可能である。
【図面の簡単な説明】
【０００７】
【図１】第１実施形態に係る吸収性物品を肌面側から見た平面図である。
【図２】図１に示すＡ−Ａ線に沿った断面図である。
【図３】第１実施形態に係る吸収性物品を肌面側から見た平面図である。
【図４】第２実施形態に係る吸収性物品の断面図である。
【図５】第３実施形態に係る吸収性物品の断面図である。
【発明を実施するための形態】
【０００８】
（１）実施形態の概要
本明細書及び添付図面の記載により、少なくとも以下の事項が明らかとなる。
【０００９】
一態様に係る吸収性物品は、着用者の健康状態を検査するための検査部材と、液透過性のトップシートを少なくとも含み、かつ前記検査部材よりも肌面側に配置されている表面側部材と、液不透過性のバックシートを少なくとも含み、かつ前記検査部材よりも肌面側に配置されている裏面側部材と、を備える。前記検査部材は、前記表面側部材を通過した排泄物を接触させる接触部と、前記排泄物に含まれる対象成分に応じて前記着用者の健康状態を指示薬により表示する表示部と、を有する。前記表面側部材は、前記表示部の少なくとも一部を覆っている。前記表面側部材は、前記表示部が視認可能になるように前記裏面側部材から剥離可能である。
【００１０】
本態様によれば、吸収性物品が着用されている場合、着用者の排泄物は、表面側部材を通じて検査部材に到達し、検査部材（表示部）には、排泄物に含まれる対象成分に応じて着用者の健康状態が表示される。表面側部材が表示部の少なくとも一部を覆っているため、着用者は、吸収性物品を身体から外した後に、表面側部材を裏面側部材から剥離することで、表示部が露出するため、表示部を視認し易くなる。着用者は、露出した表示部を視認することで、健康状態を確認することができる。また、表面側部材は、前記検査部材よりも肌面側に配置されており、かつ着用者の健康状態を指示薬により表示する表示部の少なくとも一部を覆っている。これにより、着用者の肌に表面側部材（トップシート）が直接触れ易くなり、表示部に含まれる指示薬が肌に触れ難くなる。従って、吸収性物品が検査部材を備えていても、着用者の肌触りの悪化を抑制し易く、かつ指示薬による肌へのダメージを抑制し易くすることができる。
【００１１】
好ましい一態様によれば、前記表面側部材には、厚さ方向において前記接触部と重なる開孔が形成されている。排泄物が、表面側部材を構成する繊維等の隙間を通り抜けて接触部へ到達する場合、排泄物が開孔を通る場合と比べて、検査に必要な量の排泄物が接触部へ到達するまでに時間がかかったり、一部の排泄物が接触部へ到達できないことがある。そこで、表面側部材に接触部と重なる開孔を形成することで、排泄物が開孔を通ると接触部にすぐに到達するため、検査に必要な量の排泄物が素早く到達しやすくなる。短時間で検査に必要な排泄物を接触部に到達させることができ、検査時間を短縮しつつ、検査精度を向上できる。
【００１２】
好ましい一態様によれば、前記表面側部材は、前記トップシートを含む複数のシートにより構成される。前記開孔は、前記複数のシートのうち一部のシートにのみ形成されている。複数のシートのうち、残りのシートが開孔（及び接触部）を覆っているため、検査部材が露出しない。これにより、検査精度を向上させつつも、検査部材が着用者の肌に触れることを確実に抑制できる。
【００１３】
好ましい一態様によれば、前記接触部と前記表示部とは、異なる位置に配置されている。前記表示部は、前記厚さ方向において前記開孔と重ならない。対象成分に応じて反応する指示薬を含む表示部が開孔と重ならないことで、着用者の肌に表示部が直接接触しないため、指示薬による肌へのダメージを抑制できる。
【００１４】
好ましい一態様によれば、前記表面側部材は、前記トップシートよりも非肌面側に配置される液不透過性シートを含む。前記開孔は、少なくとも前記液不透過性シートに形成されている。表面側部材が液不透過性シートを有していても、排泄物は、開孔を通じて液不透過性シートを通過することができる。これにより、検査部材に排泄物を到達させることができ、着用者の健康状態を表示部に表示できる。一方で、検査部材に到達した排泄物には、検査部材に含まれる指示薬が溶解する可能性がある。液不透過性シートは、開孔を除いて、排泄物を通過させないため、排泄物がトップシートへ戻ることを抑制できる。このため、排泄物に含まれる指示薬による着用者の肌へのダメージを抑制できる。
【００１５】
好ましい一態様によれば、前記開孔は、前記表面側部材を貫通する貫通孔である。排泄物が、表面側部材を構成する繊維の隙間を通り抜けて接触部へ到達する場合、排泄物が開孔を通る場合と比べて、検査に必要な量の排泄物が接触部へ到達するまでに時間がかかったり、一部の排泄物が接触部へ到達できないことがある。そこで、表面側部材に貫通孔が形成されているため、排泄物が貫通孔を通り、接触部にすぐに到達できるため、検査に必要な量の排泄物が素早く到達しやすくなる。短時間で検査に必要な排泄物を接触部に到達させることができ、検査精度を向上できる。
【００１６】
好ましい一態様によれば、前記裏面側部材は、前記表面側部材に含まれる液透過性シートよりも親水性又は繊維密度が高い親水性シートを含む。前記検査部材は、前記親水性シート上に配置されている。表面側部材に含まれる液透過性シートよりも裏面側部材に配置されている液透過性シートの方が親水性又は繊維密度が高いため、排泄物がトップシートへ戻ることを抑制できる。このため、排泄物に含まれる指示薬による着用者の肌への影響を抑制できる。
【００１７】
（２）吸収性物品の概略構成
以下、図面を参照して、実施形態に係る吸収性物品の概略ついて説明する。吸収性物品は、生理用ナプキン、パンティライナー、失禁パッド、糞便パッドのような吸収性物品であってよい。吸収性物品は、下着のような着用物品の内側に取り付けられて使用される物品であってよい。本実施の形態の吸収性物品１は、生理用ナプキンである。
【００１８】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれる場合がある。
【００１９】
図１は、第１実施形態に係る吸収性物品を肌面側から見た平面図である。図２は、図１に示すＡ−Ａ線に沿った断面図である。図３は、第１実施形態に係る吸収性物品を肌面側から見た平面図である。
【００２０】
なお、「肌面側」は、着用中（使用中）に着用者の肌に面する側に相当する。「非肌面側」は、着用中（使用中）に着用者の肌とは反対に向けられる側に相当する。
【００２１】
図１及び図２に示すように、吸収性物品１は、前後方向Ｌ及び幅方向Ｗを有する。前後方向Ｌは、着用者の前側（腹側）から後側（背側）に延びる方向、又は着用者の後側から前側に延びる方向である。幅方向Ｗは、前後方向Ｌと直交する方向である。吸収性物品は、肌面側Ｔ１と非肌面側Ｔ２に延びる厚さ方向Ｔを有する。
【００２２】
吸収性物品１は、中央域Ｓ３、前側域Ｓ１及び後側域Ｓ２を有する。中央域Ｓ３は、着用者の排泄口（例えば膣口）に当接する排泄口当接部を有する領域である。吸収性物品が下着に装着されたときに、中央域Ｓ３は、下着の股下部に位置する。つまり、中央域は、着用者の股下、すなわち着用者の両足の間に配置される領域である。前側域Ｓ１は、中央域Ｓ３よりも前側に位置する。後側域Ｓ２は、中央域Ｓ３よりも後側に位置する。吸収性物品１は、例えば、吸収性物品１を前後方向Ｌに３等分に分けるように、前側域Ｓ１、後側域Ｓ２、中央域Ｓ３を有してよい。
【００２３】
吸収性物品１は、検査部材２０と、表面側部材４０と、裏面側部材６０と、を備える。
【００２４】
検査部材２０は、着用者の健康状態を検査するための部材である。検査部材２０の詳細は後述する。
【００２５】
表面側部材４０は、液透過性のトップシートを少なくとも含み、かつ検査部材２０よりも肌面側Ｔ１に配置されている部材である。従って、着用者の肌に表面側部材（トップシート）が直接触れ易くなり、検査部材２０が肌に触れることを抑制できる。本実施の形態では、表面側部材４０は、トップシートのみにより構成されている。
【００２６】
表面側部材（トップシート）４０は、不織布、織布、有孔プラスチックシート、メッシュシート等、液体を透過する構造を有する任意のシート状の材料から構成される。織布や不織布の素材としては、天然繊維、化学繊維のいずれも使用できる。
【００２７】
裏面側部材６０は、液不透過性のバックシートを少なくとも含み、かつ検査部材２０よりも非肌面側Ｔ２に配置されている部材である。本実施の形態では、裏面側部材６０は、トップシートのみにより構成されている。
【００２８】
裏面側部材（バックシート）６０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００２９】
検査部材２０は、着用者の健康状態を指示薬により表示する。本実施の形態では、健康状態を検査するために、例えば、イムノクロマト法、又は試験紙法を用いることができる。
【００３０】
イムノクロマト法は、抗体を含む標識粒子が敷き詰められた部材（例えば、セルロース膜）上に、排泄物（例えば、血液など）を滴下することで行われる。排泄物中に、検査対象となる対象成分（抗原）が含まれている場合、当該対象成分と抗体とが抗原抗体反応を起こして複合体を形成する。形成された複合体は、毛細管現象によって膜上を移動する。複合体の移動先には、別種の抗体（指示薬）が線状に配置されている。複合体が、別種の抗体と結合して呈色する。呈色（色の変化）の有無により着用者の健康状態が示される。着用者は、呈色の有無を目視により判定することで健康状態を確認することができる。
【００３１】
試験紙法は、検査部材２０に含まれる指示薬が、排泄物に含まれる対象成分と反応することにより呈色する。呈色（指示薬の色の変化）の有無により着用者の健康状態が示される。着用者は、指示薬による呈色（指示薬の色の変化）を目視により判定することで健康状態を確認することができる。
【００３２】
排泄物は、例えば、血液、尿、大便、汗などが挙げられる。健康状態を示す項目は、例えば、体調関連（ｐＨ、鉄欠乏性貧血、腎機能、心筋梗塞、炎症・感染症、栄養状態評価など）、妊娠関連（生理周期予測、排卵予測など）、精神関連（鬱傾向、薬物など）が挙げられる。検査対象となる対象成分は、例えば、尿中老廃物（尿比重）、白血球、水素イオン（ｐＨ）、蛋白質、ブドウ糖、ケトン体、ウロビリノーゲン、ビリルビン、尿潜血、亜硝酸塩、ステロイド、ペプチド、芳香族化合物、ＦＳＨ（卵胞刺激ホルモン）、ＢＵＮ（Ｕｒｅａ  ｎｉｔｏｒｏｇｅｎ）、ＡｌＢ（Ａｌｂｕｍｉｎ）、ＬＰＳ（リポ多糖）、ｈＣＧ（ヒト絨毛性ゴナドトロピン）、ＬＨ（黄体刺激ホルモン）、Ｕ−ＡＬＢ、ＣＲＰ（Ｃ−リアクディブ・プロテイン）、ミオグロビン、ＣＫ−ＭＢ、トロポニンＩ、トロポニンＴ、ヘモグロビン、ストレップＡ、ＨＢｓ抗体、ＨＩＶ抗体、ＴＰ抗体、ロタウイルス、インフルエンザウイルス、アデノウイルス、ＤＮＡ、Ｏ−１５７、コカイン、マリファナ、モルヒネなどが一例として挙げられる。
【００３３】
検査部材２０は、接触部２２と表示部２４とを有する。接触部２２は、排泄物を接触させる部分である。表示部２４は、排泄物に含まれる対象成分に応じて着用者の健康状態を表示する部分である。
【００３４】
例えば、イムノクロマト法では、接触部２２は、抗体を含む標識粒子が配置されている領域を少なくとも含む。排泄物が接触部２２に触れることで、排泄物に含まれる対象成分（抗原）と抗体とが抗原抗体反応を起こして複合体を形成する。表示部２４は、複合体と結合して呈色する指示薬（別種の抗体）が配置されている領域を少なくとも含む。従って、イムノクロマト法が用いられる場合、接触部２２と表示部２４とは異なる位置に配置されている。一方、試験紙法では、接触部２２は、指示薬が配置されている領域を少なくとも含む。接触部２２に含まれる指示薬が対象成分と反応して呈色するため、接触部２２と表示部２４とが同じ位置に配置されている。従って、この場合、接触部２２と表示部２４とは、同一のものである。
【００３５】
以上のように、試験紙法が用いられる場合、接触部２２、すなわち、表示部２４は、着用者の健康状態を表示するための指示薬を含む。イムノクロマト法が用いられる場合、接触部２２は、標識粒子を含み、表示部２４は、着用者の健康状態を表示するための指示薬を含む。なお、接触部２２は、排泄物（対象成分）を表示部２４へ誘導させるためにのみ設けられている場合、指示薬を含まなくてよい。
【００３６】
なお、指示薬は、対象成分又は対象成分を由来とする成分（例えば、複合体）と反応することにより呈色する化学物質（無機物、有機物）である。
【００３７】
検査部材２０は、指示薬を保持できる部材であればよい。検査部材２０は、例えば、紙、不織布、織布などのいずれかの材料により構成できる。検査部材２０の剛性は、吸収性物品１に使用される部材の剛性以下であってよい。これにより、吸収性物品１が検査部材２０を備えていても、着用者の肌触りの悪化を抑制し易くなる。図１等に示すように、検査部材３０は、例えば、直線状の板状であってよい。
【００３８】
図１及び図２に示すように、表面側部材４０は、表示部２４の少なくとも一部を覆っている。図１及び図２に示すように、表面側部材４０は、表示部２４の全てを覆っている。表示部２４に含まれる指示薬が肌に触れ難くなり、指示薬による肌へのダメージを抑制できる。
【００３９】
吸収性物品１が着用されている場合、着用者の排泄物は、表面側部材４０を通じて検査部材２０に到達し、検査部材２０（表示部２４）には、排泄物に含まれる対象成分に応じて着用者の健康状態が表示される。
【００４０】
ここで、表面側部材４０が表示部２４を覆っているため、着用者は、図１における吸収性物品１の状態では、表示部２４を視認することができない。しかしながら、図３に示すように、表面側部材４０は、表示部２４が視認可能になるように、裏面側部材６０から剥離可能である。従って、着用者は、吸収性物品１を身体から外した後に、表面側部材４０を裏面側部材６０から剥離することで、表示部２４が露出する。従って、着用者が表示部２４を視認し易くなる。着用者は、露出した表示部２４を視認することで、着用者の健康状態を確認することができる。また、着用者は、検査部材２０を携帯する必要がなく、例えば、外出先でも容易に確認可能である。
【００４１】
表面側部材４０には、開孔４５が形成されている。本実施の形態では、開孔４５は、表面側部材４０を貫通する貫通孔である。開孔４５は、第１開孔４５１と第２開孔４５２とを有してよい。第１開孔４５１は、厚さ方向Ｔにおいて接触部２２と重なる開孔である。従って、表面側部材４０には、厚さ方向Ｔにおいて接触部２２と重なる第１開孔４５１が形成されている。排泄物が第１開孔４５１を通ることで、表面側部材４０を構成する繊維等の隙間を通り抜ける場合と比べて、接触部２２へ到達し易くなる。このため、短時間で検査に必要な排泄物（対象成分）を接触部２２に到達させることができ、検査時間を短縮しつつ、検査精度を向上できる。
【００４２】
図２に示すように、第１開孔４５１は、厚さ方向Ｔにおいて表面側部材４０を貫通する貫通孔であってよい。これにより、排泄物が固定物又は半固形物であり、表面側部材４０を拡散し難かったとしても、排泄物が接触部２２へ到達し易くなる。従って、検査に必要な排泄物（対象成分）を接触部２２に到達させることができ、検査精度を向上できる。
【００４３】
表示部２４は、厚さ方向Ｔにおいて開孔４５と重なっていなくてよい。指示薬を含む表示部２４が開孔４５と重ならないことで、着用者の肌に表示部２４が直接接触しないため、指示薬による肌へのダメージを抑制できる。
【００４４】
第２開孔４５２は、厚さ方向Ｔにおいて接触部２２と重ならない開孔である。第２開孔４５２は、検査部材２０と重ならない開孔であってよい。なお、第２開孔４５２を通った排泄物は、裏面側部材６０へ到達した後、裏面側部材６０上を移動し、接触部２２へ到達することができる。
【００４５】
開孔４５は、着用者の排泄口に当接する位置に配置されてよい。従って、開孔４５は、中央域Ｓ３に配置されてよい。これにより、排泄物が、表面側部材４０を移動（拡散）しなくても開孔４５へ到達する。従って、排泄物が排泄された地点から開孔４５まで排泄物が移動することを省略できる。短時間で検査に必要な排泄物を接触部２２に到達させることができ、検査時間を短縮しつつ、検査精度を向上できる。
【００４６】
検査部材２０は、前側域Ｓ１、後側域Ｓ２、中央域Ｓ３の少なくともいずれかに配置される。図１に示すように、検査部材２０は、後側域Ｓ２と中央域Ｓ３とに跨がって配置されてよい。接触部２２が、少なくとも中央域Ｓ３に位置し、表示部２４が、少なくとも後側域Ｓ２（又は前側域Ｓ１）に位置してよい。これにより、排泄口に当接する領域に、接触部２２が位置するため、排泄物が接触部２２に到達し易くなる。また、表示部２４が後側域Ｓ２（又は前側域Ｓ１）に配置することにより、吸収性物品１の前後方向Ｌの後端部（又は前端部）から表示部２４までの距離が短くなる。従って、着用者が、吸収性物品１の後端部（又は前端部）から表面側部材４０を剥離することで、表示部２４をすぐに露出させることができ、着用者が、表示部２４を容易に視認できる。
【００４７】
表面側部材４０と裏面側部材６０とが別部材であることにより剥離可能であってよい。図３に示すように、表面側部材４０と裏面側部材６０とを剥離可能とするために、吸収性物品１は、表面側部材４０と裏面側部材６０とを接合する接合部７０が設けられる接合領域ＢＲと、接合部７０が設けられない非接合領域ＮＢＲとを有してよい。接合部７０は、厚さ方向Ｔにおいて、表面側部材４０と裏面側部材６０との間に配置されてよい。
【００４８】
図３に示すように、接合領域ＢＲ（すなわち、接合部７０）は、吸収性物品１の平面視において、吸収性物品１（表面側部材４０／裏面側部材６０）の外周部に配置されてよい。外周部は、吸収性物品１の前後方向Ｌの端部及び幅方向Ｗの端部により構成されてよい。なお、接合部７０は、外周部以外の領域に配置されてよい。
【００４９】
非接合領域ＮＢＲは、吸収性物品１の前後方向Ｌの端部の少なくとも一部に配置されてよい。図３に示すように、非接合領域ＮＢＲは、吸収性物品１の前後方向Ｌの後端部に配置されてよい。着用者は、非接合領域ＮＢＲに指を入れて、表面側部材４０の肌面側Ｔ１と非肌面側Ｔ２とをつまんだ後に、表面側部材４０を裏面側部材６０から引き離すことで、表面側部材４０と裏面側部材６０とを容易に剥離することができる。また、非接合領域ＮＢＲは、吸収性物品１の後端部に配置することで、吸収性物品１の前側部分が排泄物で汚れていても、着用者が排泄物に触れずに表面側部材４０を裏面側部材６０から剥離することができる。
【００５０】
また、非接合領域ＮＢＲは、吸収性物品１の前後方向Ｌの前端部に配置されてよい。吸収性物品１が下着に取り付けられているケースでは、吸収性物品１を下着から外す際に、着用者は、視認し易い吸収性物品１の前側から外すことが多い。このため、非接合領域ＮＢＲは、吸収性物品１の前後方向Ｌの前端部に配置されている場合には、吸収性物品１を下着から外す際に、一方の手で吸収性物品１の前側部分を把持し、他方の手の指を非接合領域ＮＢＲに入れることができる。これにより、着用者が、表面側部材４０を剥離する作業を容易に行うことができる。
【００５１】
従って、非接合領域ＮＢＲは、吸収性物品１の前後方向Ｌの前端部及び後端部の少なくとも一方に配置されてよい。非接合領域ＮＢＲは、吸収性物品１の前後方向Ｌの前端部及び後端部の両方に配置されてよい。
【００５２】
なお、接合領域ＢＲ（接合部７０）は、接着剤、又は圧力や熱によるエンボスシールなどの接合処理により設けられてよい。非接合領域ＮＢＲは、当該接合処理を行わないことで設けられてよい。
【００５３】
また、表面側部材４０が裏面側部材６０から剥離可能とするために、表面側部材４０と裏面側部材６０との少なくとも一部は、剥離可能な接合部７０によって接合されてよい。剥離可能な接合部７０は、前側域Ｓ１、後側域Ｓ２、中央域Ｓ３の少なくともいずれかに配置されてよい。例えば、当該接合部７０は、表示部２４が位置する領域にのみ配置されてよい。例えば、当該接合部７０は、後側域Ｓ２のみに配置されてよく、剥離不能な接合部７０が、前側域Ｓ１及び中央域Ｓ３に配置されてよい。これにより、着用者が、表示部２４をすぐに露出させることができ、着用者が、表示部２４を容易に視認できる。
【００５４】
図２に示すように、検査部材２０は、厚さ方向Ｔにおいて表面側部材４０と裏面側部材６０との間に配置されている。従って、裏面側部材６０上に配置されている。
【００５５】
検査部材２０は、接着剤等により、表面側部材４０と裏面側部材６０との両方に固定されなくてよい。これにより、表面側部材４０及び／又は裏面側部材６０を構成する繊維が検査部材３０に付着せずに、表面側部材４０を裏面側部材６０から剥離し易くすることができる。また、検査部材３０に繊維が付着しないため、表示部２４を視認し易い。
【００５６】
或いは、検査部材２０は、表面側部材４０と裏面側部材６０との少なくとも一方に接合され、固定されてよい。これにより、第１開孔４５１から接触部２２がずれて、厚さ方向Ｔにおいて第１開孔４５１と重ならなくなることを抑制できる。例えば、検査部材２０は、例えば、ホットメルト型接着剤（ＨＭＡ）により裏面側部材６０と接合されてよい。接着剤等により排泄物Ｅが接触部２２へ接触し難くなることを抑制するために、少なくとも接触部２４は、接合（固定）されなくてよい。また、表示部２４を視認し易くするため、少なくとも表示部２２は、表面側部材４０及び裏面側部材６０と接合（固定）されなくてよい。検査部材３０は、接触部２２及び表示部４４以外の部分の少なくとも一部により構成される固定部を有してよい。固定部上に塗布された接着剤により、表面側部材４０と裏面側部材６０との少なくとも一方と検査部材３０の固定部とが接合（固定）されてよい。これにより、接触部２２及び表示部４４を固定することなく、接触部２２がずれることを抑制できる。
【００５７】
次に、第２実施形態に係る吸収性物品１について図４を用いて説明する。図４は、第２実施形態に係る吸収性物品１の断面図である。なお、第１実施形態と同様の部分は、説明を省略する。
【００５８】
図４に示すように、表面側部材４０は、第１表面側部材４２と第２表面側部材４４とを有してよい。第１表面側部材４２は、上述のトップシートと同様の材料から構成されてよい。従って、表面側部材４０は、トップシート（第１表面側部材４２）を含む複数のシートにより構成されよい。
【００５９】
第２表面側部材４４は、第１表面側部材４２よりも非肌面側に配置される部材である。第２表面側部材４４は、液透過性シートであってよい。この場合、第２表面側部材４４は、トップシートと同様の材料から構成されてよい。第２表面側部材４４は、液不透過性シートであってよい。この場合、第２表面側部材４４は、上述のバックシートと同様の材料から構成されてよい。第１表面側部材４２と第２表面側部材４４とは、例えば、ホットメルト型接着剤（ＨＭＡ）により接接合されてよい。
【００６０】
第１表面側部材４２には、開孔４５が形成されていない。一方で、第２表面側部材４４には、第１開孔４５１が形成されている。開孔４５は、表面側部材４０を構成する複数のシートのうち一部のシートにのみに形成されている。これにより、第１表面側部材４２が第１開孔４５１及び接触部２２を覆っているため、検査部材２０が露出しない。これにより、検査部材が着用者の肌に直接触れることを確実に抑制できる。また、排泄物は、第１表面側部材４２を通り抜けた後は、第１開孔４５１を通ることで、接触部２２へ到達し易くなる。従って、検査時間の短縮及び検査精度の向上を図りつつ、着用者の肌触りの悪化及び指示薬による肌のダメージをより抑制できる。
【００６１】
第２表面側部材４４が液不透過性シートである場合、第１開孔４５１は、液不透過性シートに形成されている。表面側部材４０が液不透過性シートを有していても、排泄物は、第１開孔４５１を通じて第２表面側部材４４（液不透過性シート）を通過することができる。これにより、検査部材２０（接触部２２）に排泄物を到達させることができ、着用者の健康状態を表示部２４に表示できる。一方で、検査部材２０に到達した排泄物には、検査部材２０に含まれる指示薬が溶解する可能性がある。第２表面側部材４４である液不透過性シートは、第１開孔４５１を除いて、排泄物を通過させないため、排泄物が第１表面側部材４２へ戻ることを抑制できる。従って、排泄物に含まれる指示薬による着用者の肌へのダメージを抑制できる。
【００６２】
裏面側部材６０は、第１裏面側部材６２と第２裏面側部材６４とを有してよい。第１裏面側部材６２は、液透過性シートであってよく、上述のトップシートと同様の材料から構成されてよい。第１裏面側部材６２は、表面側部材４０に含まれる液透過性シートである第１表面側部材４２よりも親水性又は繊維密度が高いシート（親水性シート）であってよい。
【００６３】
図４に示すように、検査部材２０は、第１裏面側部材６２上に配置されてよい。従って、検査部材２０は、第１裏面側部材６２と（直接）当接していてよい。第１表面側部材４２よりも第１裏面側部材６２の方が親水性又は繊維密度が高い場合、第１裏面側部材６２の方が排泄物を引き込む力が強い。従って、排泄物（対象成分）を検査部材２０へ短時間で到達させ易くなる。加えて、排泄物は、第１裏面側部材６２の方へ引き込まれ、第１表面側部材４２へ戻り難くなる。排泄物に指示薬が溶解したとしても、排泄物を第１裏面側部材６２に維持することができる。排泄物に含まれる指示薬による着用者の肌への影響を抑制できる。
【００６４】
なお、繊維密度は、周知の方法で測定することができる。例えば、繊維密度は、対象部位を吸収性物品１から対象サンプルとして切り出し、対象サンプル単位面積当たりの質量（ｇ／ｍ2）を測定し、対象サンプルの厚さ（ｍ）を測定して、対象サンプル単位面積当たりの質量を対象サンプルの厚さで除することで算出することができる（ｇ／ｍ3）。単位面積当たりの繊維の質量は、例えば、対象サンプルの質量を直示天秤（例えば、研精工業株式会社製  電子天秤ＨＦ−３００）で測定し、対象サンプルの面積を測定し、単位面積当たりの質量を算出してもよい。対象サンプルの厚さは、例えば、ミツトヨ（株）製のダイアルシックネスゲージＩＤ−Ｃ１０１２Ｃ又はそれと同等のものを使用し、接触子の面積を２０ｃｍ2、接触圧を３ｇｆ／ｃｍ2に設定して対象部位を加圧して測定したり、その他、目視で比較したり、吸収性物品１を長手方向に切った断面を撮影した画像を用いて比較したりしてもよい。
【００６５】
親水性は、周知の方法で測定することができる。例えば、第１に、濾紙を５枚重ねて水平に置き、濾紙の上に測定対象の試験片をのせる。第２に、縦方向及び横方向のそれぞれにおいて２ｃｍ間隔で試験片に印を付す。ピペットで人工尿１滴（約０．０５ｇ）を２０箇所に滴下する。人工尿の滴下は、１分１０秒で２０カ所に行う。第３に、２０箇所滴下終了から３０秒放置した後、試験片に吸収されている箇所を数える。試験片の吸収箇所が多い程、親水性が高いものとする。（親水性の高い側では親水性が低い側に比べて液を吸収する力が強くなる。）
【００６６】
なお、第２裏面側部材６４は、上述のバックシートに対応し、上述のバックシートと同様の材料から構成されてよい。
【００６７】
次に、第３実施形態に係る吸収性物品１について図５を用いて説明する。図５は、第３実施形態に係る吸収性物品１の断面図である。なお、第１及び第２実施形態と同様の部分は、説明を省略する。
【００６８】
図５に示すように、吸収性物品１は、検査部材２０と厚さ方向Ｔにおいて重ならない第２開孔４５２を有してよい。第２開孔４５２は、表面側部材４０を貫通する貫通孔であってよい。これにより、排泄物は、第２開孔４５２を通ることで、第２開孔４５２が形成されていない場合と比べて、第１裏面側部材６２にまで短時間で到達することができる。
【００６９】
第１裏面側部材６２が液透過性シートである場合、図５に示すように、第１裏面側部材６２を拡散して、検査部材２０（接触部２２）にまで到達することができる。ここで、吸収性物品１は、第２開孔４５２のみを有している場合、肌面側Ｔ１から視て、検査部材２０は露出してない。従って、着用者の肌に検査部材２０が直接接触しないため、着用者の肌触りの悪化を抑制でき、かつ指示薬による肌へのダメージを抑制できる。
【００７０】
（３）その他実施形態
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００７１】
上述の第２実施形態では、第１裏面側部材６２は、第１表面側部材４２よりも親水性又は繊維密度が高いシート（親水性シート）であってよかったが、これに限られない。第１裏面側部材６２は、表面側部材４０の全ての液透過性シートよりも親水性又は繊維密度が高くてよい。これにより、排泄物は、第１裏面側部材６２の方へ引き込まれ、表面側部材４０へ戻り難くなるため、排泄物に含まれる指示薬による着用者の肌への影響を抑制できる。
【００７２】
また、第１裏面側部材６２は、第１表面側部材４２よりも親水性又は繊維密度が高いシート（親水性シート）である場合、表面側部材４０を構成する全てのシートが液透過性シートであってよい。表面側部材４０が液不透過性シートを含む場合と比べて、排泄物が拡散により裏面側部材６０にまで到達し易い。裏面側部材６０にまで到達した排泄物は、第１裏面側部材６２を拡散して接触部２２へ到達できる。従って、検査時間の短縮及び検査精度の向上を図りつつ、着用者の肌触りの悪化及び指示薬による肌のダメージをより抑制できる。
【００７３】
また、上述の第２実施形態において、表面側部材４０には、表面側部材４０を貫通する第２開孔４５２を有してよい。これにより、検査部材２０を露出させずに、開孔４５（第１開孔４５１及び第２開孔４５２）によって排泄物を接触部２２へさらに到達し易くできる。
【００７４】
上述の各実施形態では、第１表面側部材４２は、１又は２のシートにより構成されていたが、これに限られない。第１表面側部材４２は、３以上のシートにより構成されてよい。例えば、第１表面側部材４２は、２つの液透過性シート（第１及び第３表面側部材）によって液不透過性シート（第２表面側部材）が厚さ方向Ｔにおいて挟まれた３層のシートにより構成されてよい。これにより、液不透過性シート（第２表面側部材）よりも非肌面側に配置されている液透過性シート（第３表面側部材）を排泄物が拡散する。検査部材２０の肌面側Ｔ１からも排泄物が接触し易くなる。液不透過性シートにより排泄物に含まれる指示薬による着用者の肌へのダメージを抑制しつつ、短時間で検査に必要な排泄物（対象成分）を接触部２２に到達させることができる。なお、表面側部材４０が液不透過性シートを含む場合には、少なくとも液不透過性シートには、液不透過性シートよりも非肌面側Ｔ２へ排泄物を移動させるために開孔が形成されている。
【００７５】
また、表面側部材４０と同様に、裏面側部材６０は、３以上のシートにより構成されてよい。例えば、裏面側部材６０が、表面側部材に含まれる液透過性シートよりも親水性又は繊維密度が高い親水性シートを含む場合、親水性シートは、検査部材２０上に配置されてなくてよい。すなわち、親水性シートは、検査部材２０と当接しなくてよい。厚さ方向Ｔにおいて当該親水性シートと検査部材２０との間に液透過性シートが配置されていてもよい。親水性シートは、液透過性シートを介して排泄物を引き込むことにより、排泄物を表面側部材４０へ戻り難くしてもよい。
【００７６】
上述の実施形態において、表面側部材４０を裏面側部材６０から剥離する場合、裏面側部材６０を固定して表面側部材４０を裏面側部材６０から剥がしてよい。また、表面側部材４０を固定して裏面側部材６０を表面側部材４０から剥がしてよい。結果として、表面側部材４０を裏面側部材６０から剥離することができる。
【００７７】
上述の実施形態では、検査部材２０は、直線状の板状であった。本実施形態では、検査部材２０は、例えば、１以上の折り目を有してよい。従って、検査部材２０は、例えば、２つ折り又は３つ折りの形状であってよい。検査部材２０は、Ｚ型に折り畳まれた部材により構成されてよい。これにより、検査部材２０をコンパクトな状態で、吸収性物品１の内部へ配置することができる。検査部材２０の面積が小さくなるため、検査部材２０による着用者の肌触りの悪化を抑制し易くすることができる。
【００７８】
また、検査部材２０は、接触部２２が表面側部材４０又は裏面側部材６０の少なくとも一方に当接するように折られた状態で、配置されてよい。これにより、検査部材２０が折られていても、接触部２２に排泄物を到達し易くすることができる。
【００７９】
また、検査部材２０は、表示部２２が表面側部材４０又は裏面側部材６０の少なくとも一方に当接するように折られた状態で、配置されてよい。これにより、検査部材２０が折られていても、着用者は、表面側部材４０を剥離するとすぐに表示部２２を視認することができる。これにより、着用者は、健康状態を容易に確認することができる。
【００８０】
また、検査部材２０は、粘着部を有する後処理テープ用のテープ部材が接触部２２及び表示部２４を有することにより構成されてよい。後処理テープ用のテープ部材としての検査部材２０が有する粘着部により、使用後の吸収性物品１を、肌当接面が露出しないように丸めた状態で固定してよい。当該テープ部材としての検査部材２０を用いることで、吸収性物品を衛生的に処分することができる。このように、着用者は、健康状態を検査した後に、検査部材２０を後処理テープ用のテープ部材として使用することができ、検査部材２０を有効活用できる。なお、後処理テープ用のテープ部材は、上述のようにＺ型に折り畳まれた形状であってよい。
【００８１】
なお、着用者は、表示部２４の呈色を示す呈色情報（画像情報及び／又は映像情報）をネットワーク（管理サーバ）へ送ることで、検査情報を取得してもよい。例えば、着用者は、表面側部材４０を裏面側部材６０から剥離した後、露出した表示部２４を、例えば、着用者（ユーザ）が所有する通信装置に内蔵されたカメラにより撮影することで呈色情報を取得してもよい。着用者は、呈色情報を通信装置を介して管理サーバへ送ることができる。着用者は、呈色情報と共に着用者の情報を示すユーザ情報を送ってもよい。ユーザ情報は、例えば、ユーザの識別子、通信装置の識別子、排泄物の種類を示す情報、吸収性物品１（検査部材２０）の種類を示す情報、対象成分を特定する情報などの少なくともいずれかである。
【００８２】
また、着用者は、検査部材２０を含む吸収性物品１又は検査部材２０そのものを、指示薬による呈色反応を検知可能である収容装置へ収容してよい。収容装置は、呈色反応を検知するために、可視光を表示部２４へ照射してよい。収容装置は、可視光と異なる特殊な波長を有する特殊光（例えば、可視光よりも短い波長を有する紫外線）を照射することで指示薬による呈色を確認できる検査部材２０に対して、当該特殊な波長を有する光を表示部２４へ照射してよい。収容装置は、収容装置内において、可視光又は特殊光を照射しながら撮影することで呈色情報を取得してもよい。このように、収容装置内で、光を照射しながら表示部２４を撮影することで、周囲の環境の影響を受けずに、正確に呈色を確認することができる。
【００８３】
収容装置は、表示部２４を撮影することにより取得した呈色情報をネットワーク（管理サーバ）へ送ってもよい。この場合、収容装置は、ユーザ情報として、収容装置の識別子を含めてもよい。また、収容装置は、取得した呈色情報を着用者が所有する通信装置へ送ってもよい。着用者は、表示部２４を通信装置へ表示することによって、呈色の有無を判定してもよい。これにより、着用者は、より正確に健康状態を確認できる。なお、着用者は、上述と同様に、収容装置から取得した呈色情報を通信装置を介してネットワークへ送ってもよい。
【００８４】
管理サーバは、呈色情報（及びユーザ情報）に基づいて、着用者（ユーザ）の健康状態を判定することができる。管理サーバは、判定結果を示す情報を呈色情報の送信元である通信装置へ送信してもよい。管理サーバは、判定結果を示す判定情報と共に、判定結果に基づくアドバイスを示すアドバイス情報を当該通信装置へ送信してもよい。管理サーバは、収容装置から呈色情報を受け取った場合であっても、収容装置の識別子と関連付けられている通信装置の識別子（ユーザの識別子）に基づいて、関連付けられている通信装置（すなわち、ユーザが所有する通信装置）へ判定情報（及びアドバイス情報）を送信してもよい。
【００８５】
通信装置は、通信装置により受信した判定情報に基づいて、判定結果を表示してよい。これにより、着用者は、表示された判定結果によって健康状態を把握することができる。着用者は、着用者自身の判定によるものではなく、客観的な判定結果を取得できる。また、通信装置は、アドバイス情報を受信した場合には、アドバイスを表示してよい。これにより、着用者は、アドバイスを把握することができる。
【００８６】
通信装置は、上述した各種の処理を実行するためのプログラムを有する。通信装置は、プログラムを記憶するメモリ及びメモリに記憶されたプログラムを実行するプロセッサを有する。プログラムは、ネットワーク（例えば、管理サーバ）から取得可能であってよい。
【００８７】
上述の実施の形態では、吸収性物品１は、生理用ナプキンであったが、これに限られない。吸収性物品１は、例えば、テープ型又はパンツ型の使い捨ておむつであってよい。
【００８８】
上述の実施の形態では、検査部材２０は、後側域Ｓ２と中央域Ｓ３とに跨がって配置されていた。検査部材２０は、前側域Ｓ１、後側域Ｓ２、中央域Ｓ３のいずれかにのみ配置されてよい。これにより、検査部材２０が配置される領域を低減することで、着用者の肌触りの悪化を抑制してもよい。
【００８９】
上述の実施形態において、中央域Ｓ３は、着用者の脚回りに配置される脚回り開口部が設けられた領域であってよい。脚回り開口部は、幅方向の内側に向かうにつれ、吸収性物品の外側縁から幅方向の内側に凹む部分である。或いは、吸収性物品１が、吸収コアを含む場合、中央域Ｓ３は、幅方向の内側に向かうにつれ、吸収コアの外側縁から幅方向の内側に凹む部分が設けられる領域であってよい。或いは、中央域Ｓ３は、周囲の吸収コアよりも厚い領域である中高部が配置されている領域であってよい。或いは、中央域Ｓ３は、吸収性物品１を下着へ止めるウイングが設けられる場合、ウイングが設けられる領域であってよい。
【００９０】
上述において、各実施形態は、適宜組み合わされてよい。
【符号の説明】
【００９１】
１      ：吸収性物品
２０    ：検査部材
２２    ：接触部
２４    ：表示部
４０    ：表面側部材
４２    ：第１表面側部材
４４    ：第２表面側部材
４５    ：開孔
６０    ：裏面側部材
６２    ：第１裏面側部材
６４    ：第２裏面側部材
７０    ：接合部
４５１  ：第１開孔
４５２  ：第２開孔
ＢＲ    ：接合領域
ＮＢＲ  ：非接合領域
Ｓ１    ：前側域
Ｓ２    ：後側域
Ｓ３    ：中央域
Ｔ１    ：肌面側
Ｔ２    ：非肌面側
【図１】
2020000751.tif 000003
【図２】
2020000751.tif 000004
【図３】
2020000751.tif 000005
【図４】
2020000751.tif 000006
【図５】
2020000751.tif 000007